(57)【要約】【課題】  遊技機の施錠装置の通常の解錠操作では、個別キーやマスターキーを使用する必要がなく、ワイヤー等の索条による遠隔操作で簡便・確実に解錠を行うことができ、防犯性が高く、また、仮に、索条の切断や、遠隔操作用の装置・機器の故障等によって、遠隔操作に支障が生じ解錠できなくなったような場合でも、個別キーまたはマスターキーよって解錠操作を行うことができ、施錠装置の防犯性を向上させるのに好適なシリンダー錠装置を提供する【解決手段】  シリンダー錠３がベース２に固定され、該ベース後方に延出された前記シリンダー錠の錠軸４に、解錠用部材が回動可能に軸支され、前記錠軸にキー操作用カム７が固定され、前記解錠用部材に該キー操作用カムと係合する係合部が設けられ、前記解錠用部材は索条によって遠隔操作可能とされていることを特徴とする。【選択図】  図１
0003110980.tif 000002
【実用新案登録請求の範囲】
【請求項１】
シリンダー錠がベースに固定され、該ベース後方に延出された前記シリンダー錠の錠軸に、解錠用部材が回動可能に軸支され、
前記錠軸にキー操作用カムが固定され、
前記解錠用部材に該キー操作用カムと係合する係合部が設けられ、
前記解錠用部材は索条によって遠隔操作可能とされていることを特徴とするシリンダー錠装置。
【請求項２】
前記解錠用部材に設けられた前記キー操作用カムとの係合部が、前記解錠用部材に突設された係合用突起であることを特徴とする請求項１記載のシリンダー錠装置。
【請求項３】
前記錠軸に解錠用カム板が回動可能に軸支されていることを特徴とする請求項１または２記載のシリンダー錠装置。
【請求項４】
前記解錠用カム板には、前記錠軸に軸支された滑車が連結され、遠隔操作用の索条による前記滑車の回動とともに一体に回動可能とされてなることを特徴とする請求項３記載のシリンダー錠装置。
【請求項５】
前記ベースの裏面側に前記索条を案内するガイドローラが設置されていることを特徴とする請求項１、２、３または４記載のシリンダー錠装置。
【請求項６】
前記ベースの裏面側に索条の案内チューブの端部の止着部が設けられていることを特徴とする請求項１、２、３、４または５記載のシリンダー錠装置。
【考案の詳細な説明】
【技術分野】
【０００１】
この考案は、シリンダー錠装置に関するものである。さらに詳しくは、この考案は、例えば、パチンコ、パチスロ、スロットマシン、スマートボール、アレンジボール等に例示される遊技機の前面枠を本体枠に対して施錠したり解錠したりするのに使用される施錠装置に好適なシリンダー錠装置に関するものである。
【背景技術】
【０００２】
遊技機の前面枠は、一端が蝶番で本体枠に固定され、他端は自由端とされて本体枠に対し回動可能となっており、前面枠の自由端の背面に本体枠との施錠を可能とする施錠装置が設けられている。このような施錠装置としては、例えば、特許文献１に、取付板と支持板を断面Ｌ字形に形成した基枠体の内側に、施錠杆が前記支持板に沿って上下方向に摺動可能に配設され、施錠杆が引張バネにより上方に付勢され、支持板の上下部に傾動可能に枢支された鉤部材に、前記施錠杆の上下端が連結され、取付板の中間部にシリンダ錠がその錠軸を取付板に設けた孔から内側に差し込むように取り付けられ、錠軸の先端に施錠杆と係合するカム板が固定されてなる構造のものが記載されている。
このような施錠装置が設けられた遊技機においては、蝶番を支点として前面枠を閉鎖するために押圧すると、本体枠に設けられた受け金具に鉤部材が当接し、鉤部材が上方に傾動するとともに施錠杆が下方へ摺動し、更に前面枠を押圧して閉鎖すると、施錠杆が引張バネの復元力により施錠位置に戻り、受け金具に鉤部材が係合し、前面枠が本体枠に施錠される。そして、キーをシリンダ錠に差し込み、キー操作によりカム板を解錠方向に回動させて施錠杆を上方へ摺動させ、受け金具と鉤部材との係合を解除し、蝶番を支点として前面枠を開くことができる。
【０００３】
パチンコホール等の遊技場には、このような施錠装置を具備した遊技機が多数設置されることから、各施錠装置に対応した数のキー（すなわち、個別キー、以下に断らない限り、「キー」は個別キーを意味する。）が必要となる。遊技機の清掃、点検等を行うために遊技場に設置された全ての遊技機を略毎日解錠することになるが、その際、多数のキーの中から各遊技機に使用している施錠装置に対応したキーを逐一選び出すことが必要であり、煩雑であって、手間がかかる。また、開店中等に急遽特定の遊技機を解錠する必要が生じた場合、それを解錠する際には、多数のキーの中から特定の遊技機に使用している施錠装置に対応したキーを選び出すことは、煩雑であって、手間がかかり直ぐに対応することは困難である。設置された遊技機の数に対応した数のキーを安全にかつ確実に保管するのは容易とはいえない。不正操作を目的として幾つかのキーが抜き取られても気が付きにくく、知らぬ間に複製され戻される恐れもある。こういったことから、共通キー（「マスターキー」ともいう。）が使用されることも多い。しかしながら、設置された数の遊技機を解錠するには、マスターキーによる解錠操作を設置された遊技機の数に相当する回数行う必要があり、程度の差こそあれこれも煩雑であることには変わりがない。
【０００４】
また、このような施錠装置を採用した遊技機において、何らかの方法、例えば、不正に入手されたキーやマスターキーおよびこれらの複製物によって前面枠が開放されると、前面枠の背面に配設された機器や部品への操作が可能となり、これら機器や部品を改変したり、遊技機の勝率を制御するＲＯＭを勝率の高い裏ＲＯＭと交換したりするといった不正操作が可能となる。このような不正操作は、夜間に忍び込んで行われる可能性が高いが、白昼に行われることもある。
【特許文献１】登録実用新案第２５０８４５２号公報
【考案の開示】
【考案が解決しようとする課題】
【０００５】
この考案の考案者等は、個別キーはもちろん、マスターキーをも使用しないで解錠を行うことができれば防犯性の高い施錠装置が得られると着想し、鋭意研究を行ったところ、通常時は、解錠操作等をワイヤー等の索条によって行い、緊急時には鍵による解錠を行うようにすればよいとの結論に達し、この考案を創案した。
【０００６】
すなわち、この考案は、例えば、遊技機の施錠装置の通常の解錠操作では、個別キーやマスターキーを使用する必要がなく、ワイヤー等の索条による遠隔操作で簡便・確実に解錠を行うことができ、防犯性が高く、また、仮に、索条の切断や、遠隔操作用の装置・機器の故障等によって、遠隔操作に支障が生じ解錠できなくなったような場合でも、個別キーまたはマスターキーよって解錠操作を行うことができ、施錠装置の防犯性を向上させるのに好適なシリンダー錠装置を提供することを目的としている。また、この考案は、部品点数が少なく、構造が簡単で、嵩張らずコンパクトであって、遊技機用の各種の機器や部品等の前面枠や本体枠への取り付けに支障を生ずることがなく、取り扱い易く、しかも、安価なシリンダー錠装置を提供することをも目的としている。
【課題を解決するための手段】
【０００７】
上記課題を解決するために、この考案のシリンダー錠装置は、
（１）シリンダー錠がベースに固定され、該ベース後方に延出された前記シリンダー錠の錠軸に、解錠用部材が回動可能に軸支され、前記錠軸にキー操作用カムが固定され、前記解錠用部材に該キー操作用カムと係合する係合部が設けられ、前記解錠用部材は索条によって遠隔操作可能とされていることを特徴とする。
（２）前記解錠用部材に設けられた前記キー操作用カムとの係合部が、前記解錠用部材に突設された係合用突起であることが好ましい。
（３）前記錠軸に解錠用カム板が回動可能に軸支されていることが好ましい。
前記（３）における、より具体的な構造としては、（４）前記解錠用カム板には、前記錠軸に軸支された滑車が連結され、遠隔操作用の索条による前記滑車の回動とともに一体に回動可能とされてなることが好ましい。
（５）前記ベースの裏面側に前記索条を案内するガイドローラが設置されていることが好ましい。
（６）前記ベースの裏面側に索条の案内チューブの端部の止着部が設けられていることが好ましい。
【考案の効果】
【０００８】
この考案は、以上説明したように構成されているので、以下に記載されるような効果を奏する。
すなわち、この考案のシリンダー錠装置を、そのベースを介して、例えば、パチスロ等の遊技機の前面枠の施錠装置に装着し、ソレノイド、正逆転モータ等の遠隔操作用の駆動装置により遠隔操作用の索条を牽引し、錠軸の軸心を中心に解錠用部材を回動させることで、キーまたはマスターキーを使用する必要がなく、解錠を簡便・確実に行うことができることになる。この考案のシリンダー錠装置によれば、キーまたはマスターキーを使用する必要がなく、索条による遠隔操作によって解錠を行うことができることから、キーやマスターキーを別途保管、管理をしておけばよく、キーの不正入手を防止し易く、防犯性を高めることができる。
【０００９】
そして、索条の切断や、遠隔操作用の装置・機器の故障等によって、遠隔操作に支障が生じ解錠できなくなったような特別の場合、保管場所から取り出したキーまたはマスターキーをシリンダー錠に差し込み、解錠方向にキーを回すと、錠軸の回動に伴いキー操作用カムが解錠用部材の係合部に係合し、解錠用部材を回動させ、解錠することができる。
なお、索条による解錠用部材の回動を遠隔操作用の駆動装置によらず、索条牽引用の適宜の手動装置によって遠隔操作するようにしてもよい。
【００１０】
遊技場等において、このシリンダー錠装置を装着した施錠装置を備えた遊技機を多数設置し、これらのシリンダー錠装置の解錠の遠隔操作を、例えば、集中管理室等において制御するようにすることで、多数のシリンダー錠装置を同時に解錠したり、または、任意のシリンダー錠装置だけを解錠したりでき、さらには、適宜の検出手段を用いれば、各シリンダー錠装置の解錠および／または施錠状態を表示するようにすることで多数の遊技機を一括管理等することが可能となる。
【００１１】
この考案のシリンダー錠装置は、部品点数が少なく、構造が簡単で、嵩張らずコンパクトであって、遊技機用の各種の機器や部品等の前面枠や本体枠への取り付けに支障を生ずることがなく、取り扱い易く、しかも、安価であって、経済的でもある。
【考案を実施するための最良の形態】
【００１２】
以下、考案を実施するための最良の形態を示し、さらに詳しくこの考案について説明する。もちろんこの考案は以下の実施の形態によって限定されるものではない。
図１は、この考案の一実施の形態を示すシリンダー錠装置の分解斜視図、図２は正面図、図３は背面図、図４は図３のＡ−Ａ線矢視一部破断側面図である。
【００１３】
このシリンダー錠装置１は、遊技機のうちパチスロ機用の施錠装置に装着して使用するのに好適なものとして示されている。
このシリンダー錠装置１は、概略、ベース２の前面側に固定されたシリンダー錠３の錠軸４が、前記ベース２を貫通してベースの後方に延出し、錠軸４に滑車５が軸支されるとともに、カム板６が滑車５に連結されて滑車５と一体に回転可能とされ、また、錠軸４の後端部４ａにキー操作用カム７が固定され、カム板６にキー操作用カム７に係合する係合用突起８が形成されてなるものである。そして、滑車５は、後述するように、ワイヤー等の索条によって錠軸４の軸心を中心に正逆方向に回動可能とされている。ここにおいて「索条」とは、遠隔操作用の線状材を意味し、例えば、複線からなるワイヤーロープ、ピアノ線のような単線等を含むものである。なお、以下において、「ワイヤー」は、前記した索条の意味で使用されている。
【００１４】
図１、図２に示されるように、シリンダー錠３は、その接続筒部３ａを、ベース２の前面側に形成された筒部１０に嵌め合わせ、ピン１１でピン止めされ、ベース２に取着されている。シリンダー錠３の接続筒部３ａは、錠本体部３ｂにピン止めされている。
シリンダー錠３の錠軸４は、接続筒部３ａの後端から後方に所定長さ延出されており、ベース２の略中央部に穿設された挿通孔１２から後方に突出している。錠軸４の後端部４ａは、長手方向に平行な２つの面で切り欠かれている。
【００１５】
ベース２の裏面側に形成されたケース部１３内側には、錠軸４の挿通孔１２の上下位置に対向して頂部に雌ネジが形成された支柱１４、１４が設けられており、下方の支柱１４にはワイヤー１５を案内するガイドローラー１６が回転可能に軸支されている。
そして、ケース部１３内において、錠軸４に滑車５が回動可能に軸支されている。ケース部１３の下方の支柱１４の近傍にワイヤーの案内チューブ２１（図３等参照）の端部に固定された止め金１７の止着部１８が設けられており、また、止着部１８にはワイヤー１５を通過させる所定幅のスリット１９が形成されている。ベース２の上下部には、シリンダー錠装置１を施錠装置の取付板に止着するための孔２０、２０が穿設されている。
滑車５は、ベース側にフランジ２２を有し、フランジ２２には胴部２３に沿ってワイヤー１５を掛けるためのピン２４が後方に向けて立設され、胴部２３に形成された凹部２３ａとピン２４との間にワイヤーを通すことができるようになっている。滑車５の後端面には、後述する蓋板２９の厚さ分の円盤状段部２８を介して四角形状の嵌合用凸部２５が形成され、該嵌合用凸部２５の中心を軸孔２６が貫通している。この嵌合用凸部２５には、後述するようにカム板６の嵌合孔２７が嵌合し、カム板６が滑車５と一体に回動させられる。
【００１６】
このような滑車５には、図５に示すように、ワイヤー１５が滑車５の胴部２３に１回掛け廻されてから、滑車５のピン２４と凹部２３ａの間に通され、ワイヤー１５が、凹部２３ａとピン２４とによって滑車５にスリップしないように固定されている。そして、ワイヤー１５の往動側（図５で滑車５を反時計方向に回動させる牽引側）は、ガイドローラー１６によって案内されて、ワイヤー１５の復動側（図５で滑車５を時計方向に回動させる牽引側）とともにベースの止着部１８に形成されたスリット１９を通過し、先端に止め金１７が固着された案内チューブ２１内をガイドされる。そして、案内チューブ２１の止め金１７が止着部１８に取り付けられることで、ワイヤーの案内チューブ２１はベース２に固定される。ワイヤー１５を、後述するようにソレノイド、正逆転モータ等によって往動または復動方向に牽引することで、錠軸４の軸心を中心とする滑車５の正逆方向へ回動を遠隔操作できることになる。
なお、案内チューブだけで、ベースの止着部に固定しても支障がない場合は、止め金を使用しなくてもよい。
【００１７】
蓋板２９は支柱１４、１４にネジ３０、３０で固定されており、蓋板２９の開口３１から、滑車５の嵌合用凸部２５が、カム板６の厚さ分後方に突出している。蓋板２９のネジ挿通孔３２、３２は、ネジ３０、３０の頭が蓋板２９と面一となるように座ぐりされている。
【００１８】
カム板６に形成された四角形の嵌合孔２７が滑車の嵌合用凸部２５に嵌合され、カム板６が滑車５と一体に回動するようになっている。カム板６には、第１爪６ａと第２爪６ｂとが形成されている。
第１爪６ａは、後述するように施錠装置の施錠杆に係合し、パチスロ機の前面枠を解錠させ、第２爪６ｂは、リセット作動杆に係合し、パチスロ機をリセットさせる機能を果たす（図１０参照）。ここにおいては、カム板６の第１爪６ａを施錠装置の解錠用、第２爪６ｂをリセット用としているが、施錠装置の種類によっては、第１爪６ａが施錠装置のリセット用、第２爪６ｂが解錠用となり、その場合は、ワイヤー１５の往動側、復動側が替わることになる。
【００１９】
キー操作用カム７に形成された孔３３に錠軸４の後端部４ａが嵌合され、錠軸４の後端部４ａを打ち広げることでキー操作用カム７が錠軸４に固定され、錠軸４と一体に回動可能となっている。キー操作用カム７には、カム板６に形成された係合用突起８に正方向（反時計方向）から係合する第１カム部７ａと、逆方向（時計方向）から係合する第２カム部７ｂとが形成されている。
【００２０】
このシリンダー錠装置１は、前記したような構造となっていることから、ソレノイド、正逆転モータ等によって、ワイヤー１５の往動側または復動側を牽引することで、カム板６の正逆転を遠隔操作することができる。ワイヤー１５の往動側を牽引すると、図５から明らかなように、滑車５は錠軸４の軸心を中心として正方向（反時計方向）に回動する。カム板６は、滑車５と一体となって実線の矢印で示す正方向に回動する。ワイヤー１５の復動側を牽引すると、滑車５は錠軸４の軸心を中心として逆方向（時計方向）に回動する。カム板６は、滑車５と一体となって２点鎖線の矢印で示す逆方向に回動する。ワイヤー１５の往復動の距離は、カム板６の中立位置、正逆転角度に応じて、適宜決定される。
【００２１】
そして、キーまたはマスターキー３４をシリンダー錠３に差し込み、錠軸４が正方向に回動するように操作すると、錠軸４の回動に伴いキー操作用カム７の第１カム部７ａがカム板６の係合用突起８に係合し、カム板６を正方向（図３で反時計方向）に回動させる。一方、錠軸４が逆方向に回動するように操作すると、錠軸４の回動に伴いキー操作用カム７の第２カム部７ｂがカム板６の係合用突起８に係合し、カム板６を逆方向（図３で時計方向）に回動させる。
【００２２】
この考案のシリンダー錠装置は、部品点数が少なく、構造が簡単で、カム板の回動もスムーズであり、嵩張らずコンパクトであって、遊技機用の各種の機器や部品等の前面枠や本体枠への取り付けに支障を生ずることがなく、取り扱い易く、しかも、安価で、経済的でもある。
【００２３】
図６は、図１に示すシリンダー錠装置１を装着した施錠装置の一態様を示し、（ａ）は左側面図、（ｂ）は背面図である。なお、図６においては、ワイヤーの案内チューブ２１は一部のみを示している。
【００２４】
シリンダー錠装置１は、施錠装置３９の取付板４１の幅広部４１ａに穿設された挿通孔（図示せず）にシリンダー錠３が内側から挿通されて外側（正面側）に突出し、ベース２が取付板４１にネジ４０、４０で固定されている。
施錠装置３９は、縦長の取付板４１の側方に支持板４２が起立した断面Ｌ字状の基枠体４３の内側において、施錠杆４４が支持板４２に沿って上下に摺動可能に配置され、施錠杆４４の摺動に連動して、支持板４２の上部と下部に設けられた支軸４５、４５を中心に軸支された鉤部材４６、４６が、施錠位置と解錠位置と間で回動可能とされており（図６（ａ）の矢印方向参照）、また、施錠杆４４と支持板４２との間にリセット作動杆４７が上下に摺動可能に配設されている。
【００２５】
施錠杆４４の支持板４２に沿った上下方向への摺動は、支持板４２の上下部に設けられた支軸４５、４５、中間部に設けられたピン４９が、施錠杆４４の上下端部および中間部に穿設された長孔５０、５０、５０に挿通され、例えば、ピン４９が長孔５０の下端縁に当接する位置と上端縁に当接する位置との間で規制される。
施錠杆４４の上下への摺動に連動し、鉤部材４６を支軸４５を中心に施錠位置と解錠位置との間で回動可能とするため、鉤部材４６の支軸４５の挿通孔よりも取付板４１寄りの位置に穿設された長孔５１に、施錠杆４４に形成された鉤部材側に突出する突起５２が係合する構造となっている（図７参照）。
【００２６】
リセット作動杆４７の上部には長孔５４が穿設されており、該長孔５４に前記中間部のピン４９が挿通され、また、下部には、リセット作動片５５が設けられ、施錠杆４４に穿設されたスリット５６を通り内側に突出し、リセット作動杆４７が上下に摺動できるようになっている。リセット作動杆４７の上下摺動は、例えば、ピン４９が長孔５４の下端縁に当接する位置と上端縁に当接する位置との間で規制されることになる。リセット作動片５５は、右方に直角に折り曲げられ、その先端によって、リセット作動杆の上方への摺動により図示されていないリセットスイッチを作動させるようになっている。リセットスイッチは、リセット作動片５５の有無を検出して、パチスロ機のリセット信号を出力するものである。
リセット作動杆４７の長孔５４の下方位置にはバネ掛止部５７が設けられ、施錠杆４４のスリット６０を通って基枠体４３の内側に突出し、該バネ掛止部５７には、引張バネ５８の一端が係止され、該引張バネ５８の他端は、施錠杆４４に設けられたバネ掛止部５９に係止されており、引張バネ５８によって、施錠杆４４は上方に付勢され、リセット作動杆４７は下方に付勢されている。
【００２７】
施錠杆４４には、シリンダー錠装置１のカム板６が図６（ｂ）で反時計方向に回動させられたときに第１爪６ａが係止して、施錠杆を下方に摺動させるための係合孔６１が穿設されている（図１０参照）。
リセット作動杆４７には、カム板６が図６（ｂ）で時計方向に回動させられたときに第２爪６ｂが係合して、リセット作動杆４７を上方に摺動させるための係合孔６２が穿設されている。施錠杆４４には、第２爪６ｂがリセット作動杆４７に係合する際の逃がし窓６３が形成されている。また、リセット作動杆４７には、カム板６の第１爪６ａの逃がし窓６４が形成されている。支持板４２には、カム板６が正逆転したとき第１爪６ａ、第２爪６ｂの通過を可能とする透孔６５が穿設されている（図１０参照）。
【００２８】
支持板４２の後端の上部と下部には、後述する受け金を受け入れる凹部４２ａ、４２ａがそれぞれ形成されており、下部の凹部４２ａの下方位置には、当接案内面を揺するプラスチック製の当接部材６７が設けられている。
【００２９】
取付板４１には、複数の止めネジ挿通孔６８が穿設されており、施錠装置３９が止めネジでパチスロ機の前面枠の自由端の背面に取り付けられるようになっている。
【００３０】
図８は、施錠装置３９の鉤部材４６と係合する受け金具６９であり、（ａ）は左側面図、（ｂ）は正面図である。受け金具６９は、円柱状の受けピン７０、７０が、基板７１の上下部に固定されている。受けピン７０、７０の基板７１への固定位置は、施錠装置３９の鉤部材４６が施錠位置にある状態において、鉤部材４６の切欠４６ａが受けピン７０を受け入れ、係合して施錠できる位置に設定されている。基板７１の下端近傍位置には、前述した支持板４２に取り付けられた当接部材６７を受け止める受板７２が取り付けられている。
【００３１】
図９は、シリンダー錠装置１を装着した施錠装置３９をパチスロ機の前面枠７４の自由端の背面に、取付板４１の止めネジ挿通孔６８を利用してネジ（図示せず）で固定し、一方、受け金具６９の受けピン７０、７０が施錠状態において施錠装置３９の鉤部材４６、４６と係合する位置に位置決めされて、受け金具６９を基板７１の止めネジ挿通孔７５を利用して本体枠７６にネジ（図示せず）で固定した状態を示す。なお、図９においても、シリンダー錠装置１から延設されているワイヤーの案内チューブは一部のみを示している。
前面枠７４は、取り付けられている各種機器等の重量が加わることで自由端側が若干下がった状態にある。図示していない蝶番を支点にして前面枠７４を本体枠７６に対して閉鎖方向に回動すると、先ず、施錠装置３９の当接部材６７が、受板７２に乗り上がり、前面枠７４の自由端側が上方に持ち上げられ、施錠装置３９の鉤部材４６と受けピン７０とが施錠に適した位置関係に調節される。次いで、鉤部材４６の外側縁が受けピン７０に当接すると、鉤部材４６は、引張バネ５８の付勢力に抗し、支軸４５の軸心を中心に時計方向に回動し、前面枠７４が本体枠７６に閉鎖されると、引張バネ５８の復元力によって鉤部材４６が反時計方向に回動し、受けピン７０に鉤部材４６が係合するとともに、支持板４２の凹部４２ａに受けピン７０が収まり施錠状態となる。
【００３２】
シリンダー錠装置１を遠隔操作するソレノイド、正逆転モーター等の駆動装置は、パチスロ機の改造とはならないように、パチスロ機の機外に設置し、シリンダー錠装置１と繋がれたワイヤーは、前面枠の開閉に支障がなく、前面枠の背面やパチスロ機内部に設置された各種機器の邪魔にならないように配設される。そして、機外に設置された正逆転モータ等の駆動装置を適宜の制御装置で制御し、ワイヤーを所定方向に牽引することで、図５について説明したように、カム板６の正逆転を遠隔操作することができる。
【００３３】
なお、以下においては、説明の便宜上、遠隔操作用の駆動装置として、正逆転モーターを用いるものとして説明する。
施錠状態において、キーやマスターキーを用いないで、遠隔操作で解錠するには、以下のようにして行えばよい。すなわち、正逆転モータを制御装置によって起動させ、ワイヤーを往動側に所定距離牽引すると、図５から明らかなように、滑車５が錠軸４の軸心を中心として正方向（反時計方向）に回動することから、カム板６が滑車５と一体となって正方向に回動する。そのため、カム板６の第１爪６ａが、施錠杆４４の係合孔６１の下辺に係合し（図１０参照）、施錠杆４４が引張バネ５８の付勢力に抗し下方に摺動させられ、鉤部材４６の基部の長孔５１に挿入された突起５２によって、鉤部材４６が支軸４５の軸心を中心として時計方向に回動し、鉤部材４６と受けピン７０との係合が外れ、解錠される。そこで、蝶番を支点として前面枠７４を回動させると、当接部材６７が、受板７２を下り、蝶番を支点に前面枠７４を本体枠７６に対し開くことができる。そして、制御装置によって正逆転モータの回転を逆転させ、ワイヤーを復動側に牽引し、カム板６をその中立位置（図１０参照）に戻しておけば、カム板６の第１爪６ａが施錠杆４４の係合孔６１から外れ、施錠杆４４は引張バネ５８の復元力で図９に示された位置に戻る。
【００３４】
遠隔操作でリセット動作をするには、以下のようにして行えばよい。すなわち、正逆転モータを制御装置によって起動させ、ワイヤーを復動側に所定距離牽引すると、図５から明らかなように、滑車５が錠軸４の軸心を中心として逆方向（時計方向）に回動することから、カム板６が滑車５と一体となって時計方向に回動する。そのため、カム板６の第２爪６ｂが、施錠杆４４の逃がし窓６３を通って、リセット作動杆４７の係合孔６２の上辺に係合し（図１０参照）、リセット作動杆４７が引張バネ５８の付勢力に抗し上方に摺動させられ、リセット作動杆４７によって図示していないリセットスイッチを作動させ、リセット信号を出力させる。該リセット信号によってパチスロ機のリセットが行われる。そして、制御装置によって正逆転モータの回転を正転させ、ワイヤーを往動側に牽引し、カム板６をその中立位置（図１０参照）に戻しておけば、カム板６の第２爪６ｂがリセット作動杆４７の係合孔６２から外れ、リセット作動杆４７は引張バネ５８の復元力で図９に示された位置に戻る。
【００３５】
遊技場において、このようなパチスロ機を多数設置して、中央制御装置によって、各パチスロ機の正逆転モータの制御装置を制御するようにすれば、集中管理室等において、多数のパチスロ機を同時に解錠したり、または、特定のパチスロ機だけを解錠したりでき、さらには、適宜の検出手段を用いることで、各パチスロ機の解錠および／または施錠状態を表示するようにすれば、多数のパチスロ機を一括管理等することができる。
【００３６】
ところで、例えば、正逆転モータが故障したり、ワイヤーが切断したような遠隔操作に支障が生じた場合には、制御装置によるパチスロ機の解錠操作、リセット操作を行うことができなくなる。
このような場合には、キーまたはマスターキー３４を使用して、以下のようにして強制的に解錠することができる。すなわち、キーまたはマスターキー３４をシリンダー錠３に差し込み、錠軸４が正方向（図１１の反時計方向）に回動するように強制的に操作すると、錠軸４の回動に伴い、キー操作用カム７の第１カム部７ａがカム板６の係合用突起８に反時計方向から係合し、カム板６を正方向に回動させる。そのため、カム板６の第１爪６ａが、施錠杆４４の係合孔６１の下辺に係合し、施錠杆４４が引張バネ５８の付勢力に抗し下方に摺動させられ（図１１参照）、鉤部材４６の基部の長孔５１に挿入された突起５２によって、鉤部材４６が支軸４５の軸心を中心として上方に回動し、鉤部材４６と受けピン７０との係合が外れ解錠される。解錠後、前面枠７４を本体枠７６に対し開放し、故障を修理したり、施錠装置３９を取り替えたりすればよい。図１１は、錠軸４が正方向（反時計方向）に回動され、キー操作用カム７の第１カム部７ａがカム板６の係合用突起８に係合した状態を示している。
【００３７】
また、このシリンダー錠装置１は、遠隔操作によらず、キーまたはマスターキーによってリセット操作をすることができるようになっている。すなわち、キーまたはマスターキーによって、錠軸４が逆方向（図１１の時計方向）に回動すると、錠軸４の回動に伴い、キー操作用カム７の第２カム部７ｂがカム板６の係合用突起８に係合し、カム板６を逆方向に回動させる。そのため、カム板６の第２爪６ｂが、施錠杆４４の逃がし窓６３を通って、リセット作動杆４７の係合孔６２の上辺に係合し、リセット作動杆４７が引張バネ５８の付勢力に抗し上方に摺動させられ、リセット作動杆４７によって図示していないリセットスイッチを作動させ、リセット信号を出力させる。該リセット信号によってパチスロ機のリセットが行われる。
【００３８】
このシリンダー錠装置は、図６に示したような支持板に沿った施錠杆の摺動によって、鉤部材が支軸を中心に回動可能とされた施錠装置に使用されるだけでなく、図１２に示すような、施錠杆８０の上下部に鉤部８０ａ、８０ａが一体とされ、支持板４２に沿って施錠杆８０を摺動可能とした施錠装置８１に使用することができることはいうまでもない。図１２に示す施錠装置８１においては、施錠杆８０にカム板６の第２爪６ｂが係合し、施錠杆８０が上方に摺動して解錠操作が行われるようにすればよく、また、リセット作動杆８２にカム板６の第１爪６ａが係合し、リセット作動杆８２が下方に摺動してリセット操作が行なわれるようにすればよい。
このシリンダー錠装置１は、パチスロ機の施錠装置だけでなく、パチンコ機の施錠装置にも使用できる。この場合の施錠装置は、パチスロ機の施錠装置において、リセット作動杆がガラス枠の解錠用の操作杆とすればよい。
【００３９】
図１３は、シリンダー錠装置の他の実施の形態を示す分解斜視図である。
図１３に示すシリンダー錠装置９１では、シリンダー錠９２の接続筒部９３の後端から延設された一対の突出部９３ａ、９３ａを板状のベース９４のスリット９４ａ、９４ａに挿通して固定し、ガイドローラー９５をガイドピン９６でベース９４に取り付けており、ベース９４には止め金１７の止着部９７が形成されている。滑車９９には、前後にフランジ１００、１００が形成されており、胴部１０１にワイヤーを固定するための穴１０１ａが穿設されている（図１４参照）。ワイヤー１５を胴部１０１に１回掛け廻してから、一箇所を図１４に示すように屈曲させ、その屈曲箇所を滑車の胴部１０１の穴１０１ａに挿入することで、ワイヤー１５が滑車９９にスリップしないように固定されている。そして、ワイヤー１５の往動側は、ガイドローラー９５によって案内されて、ワイヤー１５の復動側とともにベースの止着部９７に形成されたスリット９８を通過している。正逆転モータ等の駆動装置によってワイヤーを往動側または復動側に牽引することで、錠軸１０２の軸心を中心とする滑車９９の正逆方向の回動を遠隔操作することができる。その他は、図１に示すシリンダー錠装置１と同様なことから同一のものには同一の番号を付し説明は省略する。
【００４０】
ワイヤーにより、カム板６を正逆方向へ回動させること、キーまたはマスターキーによりキー操作用カム７を回動させてキー操作用カム７でカム板６を回動させることは、図１に示したシリンダー錠装置と同様なことから説明は省略する。
また、図１３に示すシリンダー錠装置において、カム板と滑車とをネジで固定してもよいし、カム板と滑車とは別体とでなく、鋳造、切削等の加工によって一体としたものであってもよい。
【００４１】
シリンダー錠装置としては、ワイヤーによって滑車を回動させる構造でなくてもよい。図１５は、シリンダー錠装置のさらに他の実施の形態を示す説明図であって、要部を示し、その他は省略している。
図１５に示すシリンダー錠装置１２０は、カム板６が、錠軸１２１に軸支されたピニオン１２２に連結され、ピニオン１２２に係合するラック１２３が遠隔操作用のワイヤー１５によってベース１２４に対し摺動可能とされ、遠隔操作用のワイヤー１５は、ガイドローラー１２５、１２５、１２５、１２５によって案内される構造となっている。ラック１２３にはあり溝（図示せず）が設けられ、ベース１２４に設けられたレール１２７に沿ってラック１２３が摺動できるようになっている。遠隔操作用のワイヤー１５をソレノイド、正逆転モータ等の駆動装置によって正逆方向に牽引するとラックが上下方向に摺動し、ラック１２３と係合するピニオン１２２が回動し、ピニオン１２２と一体にカム板が回動し、施錠装置の解錠が可能となる。
【００４２】
この発明のシリンダー錠装置としては、遊技機の施錠装置だけに限定されるものではない。例えば、貸しロッカー、貸金庫等の施錠、解錠をワイヤー等の索条による遠隔操作によって行い、仮に、索条の切断や、遠隔操作用の装置・機器の故障等によって、遠隔操作に支障が生じ解錠できなくなったような場合でも、個別キーまたはマスターキーよって解錠操作を行うようにするのに使用できる。貸しロッカー、貸金庫等に使用するには、前記したシリンダー錠装置のカム板に代え、掛け金とすればよい。
貸しロッカー、貸金庫等にシリンダー錠装置を設置して、解錠、施錠をワイヤー等によって遠隔操作するには、例えば、以下のようにすればよい。すなわり、利用者が対象となる貸しロッカー、貸金庫等を解錠するには、適宜の個人識別装置、暗号入力装置によって利用者の個人識別を行い、個人識別情報が正しいことを示す信号が発せられた場合、ワイヤー等を適宜の駆動装置が牽引するようにしてシリンダー錠装置の掛け金を外すようにすればよい。
なお、個別キーの所持者は、個人識別装置、暗号入力装置を使用しないでも、直接、シリンダー錠装置を操作して、解錠することができる。
【図面の簡単な説明】
【００４３】
【図１】この考案のシリンダー錠装置の一実施の形態を示す分解斜視図である。
【図２】図１に示すシリンダー錠装置の正面図である。
【図３】図１に示すシリンダー錠装置の背面図である。
【図４】図１に示すシリンダー錠装置の図３のＡ−Ａ線矢視部分破断断面図である。
【図５】図１に示すシリンダー錠装置の滑車にワイヤーを固定する方法の説明図で、蓋板を外した状態を示している。
【図６】図１に示すシリンダー錠装置を装着した施錠装置の一態様を示し、（ａ）は左側面図、（ｂ）は背面図である。
【図７】図６に示す施錠装置の鉤部材と施錠杆との関係を説明するための拡大断面図である。
【図８】図６に示す施錠装置と係合する受け金具の（ａ）は左側面図、（ｂ）は正面図である。
【図９】図６に示す施錠装置をパチスロ機に取り付けた状態を示す説明図である。
【図１０】図６に示す施錠装置におけるシリンダー錠装置のワイヤーによる解錠、リセット動作の説明図である。
【図１１】図６に示す施錠装置におけるシリンダー錠装置のキーによる強制解錠動作の説明図である。
【図１２】図１に示すシリンダー錠装置を他の施錠装置に装着した態様を示す左側面図である。
【図１３】この考案のシリンダー錠装置の他の実施の形態を示す分解斜視図である。
【図１４】図１３に示すシリンダー錠装置の滑車にワイヤーを固定の方法の説明図である。
【図１５】この考案のシリンダー錠装置のさらに他の実施の形態を示す説明図である。
【符号の説明】
【００４４】
１  シリンダー錠装置
２  ベース
３  シリンダー錠
４  錠軸
５  滑車
６  カム板
７  キー操作用カム
１３  ケース部
１５  ワイヤー
１６  ガイドローラ
１８  止着部
２５  嵌合用凸部
２６  軸孔
２７  嵌合孔
【図１】
0003110980.tif 000003
【図２】
0003110980.tif 000004
【図３】
0003110980.tif 000005
【図４】
0003110980.tif 000006
【図５】
0003110980.tif 000007
【図６】
0003110980.tif 000008
【図７】
0003110980.tif 000009
【図８】
0003110980.tif 000010
【図９】
0003110980.tif 000011
【図１０】
0003110980.tif 000012
【図１１】
0003110980.tif 000013
【図１２】
0003110980.tif 000014
【図１３】
0003110980.tif 000015
【図１４】
0003110980.tif 000016
【図１５】
0003110980.tif 000017